【手続補正書】
【提出日】平成17年1月17日(2005.1.17)
【手続補正１】
【補正対象書類名】明細書
【補正対象項目名】請求項７
【補正方法】変更
【補正の内容】
【請求項７】
ほぼ矩形状のパネルの有効部の内面に形成された蛍光体スクリーンに対向してほぼ矩形状のシャドウマスクが配置され、このシャドウマスクが多数の電子ビーム通過孔が形成され上記蛍光体スクリーンと対向する曲面からなる有効面、この有効面の外周を取囲む無孔部およびこの無孔部の外周に折曲げ形成されたスカート部からなるほぼ矩形状のマスク本体と、このマスク本体のスカート部に取付けられたほぼ矩形状のマスクフレームとからなるカラー受像管において、
上記マスク本体は上記有効面と上記無孔部とが短軸方向に曲率をもつ曲面に形成され、上記短軸付近の有効面と無孔部の少なくとも1部が長軸と平行な方向に隣接する部分よりも落込んでいることを特徴とするカラー受像管。
【手続補正２】
【補正対象書類名】明細書
【補正対象項目名】０００８
【補正方法】変更
【補正の内容】
【０００８】
しかし曲率半径の大きい有効面に十分な曲面保持強度が得られるように補強ビードを設けると、その結果形成される段差のために、局部的にパネルの有効部内面とマスク本体の有効面との間隔が許容範囲から外れ、段差のイメージが曲面上に現れ、画質をいちじるしくレ劣化させる。そのため、補強ビードによって形成される段差の高さには限度が有り、通常、０．１〜０．２ｍｍ程度が限界である。そのため、有効面の曲率半径が大きいシャドウマスクでは、補強ビードを設けても、曲面保持強度を十分に高くすることができない。
【手続補正３】
【補正対象書類名】明細書
【補正対象項目名】００１０
【補正方法】変更
【補正の内容】
【００１０】
この曲率半径の大きいマスク本体の有効面の曲面保持強度の向上策として、有効面に補強ビードを設ける提案があるが、曲率半径が大きい有効面に十分な曲面保持強度が得られるように補強ビードを設けると、その結果形成される段差のために、局部的にパネルの有効部内面とマスク本体の有効面との間隔が許容範囲から外れ、段差のイメージが画面上に現れ、画質がいちじるしく劣化する。そのため、有効面の曲率半径が大きいシャドウマスクでは、補強ビードを設けても、曲面保持強度を十分に高くすることができないという問題がある。
【手続補正４】
【補正対象書類名】明細書
【補正対象項目名】００１２
【補正方法】変更
【補正の内容】
【００１２】
【課題を解決するための手段】
（１）  ほぼ矩形状のパネルの有効部の内面に形成された蛍光体スクリーンに対向してほぼ矩形状のシャドウマスクが配置され、このシャドウマスクが多数の電子ビーム通過孔が形成され蛍光体スクリーンと対向する曲面からなる有効面、この有効面の外周を取囲む無孔部およびこの無孔部の外周に折曲げ形成されたスカート部からなるほぼ矩形状のマスク本体と、このマスク本体のスカート部に取付けられたほぼ矩形状のマスクフレームとからなるカラー受像管において、マスク本体の有効面または有効面と無孔部とが短軸方向に曲率をもつ曲面に形成され、その有効面または無孔部の短軸端がこれら有効面または無孔部の隣接長辺部よりも落込んでいる構造とした。
【手続補正５】
【補正対象書類名】明細書
【補正対象項目名】００１５
【補正方法】変更
【補正の内容】
【００１５】
（４）  （１）のカラー受像管において、有効面または無孔部の短軸端の落込み量を有効面または無孔部の対角軸端の落込み量よりも小さくした。
【手続補正６】
【補正対象書類名】明細書
【補正対象項目名】００１６
【補正方法】変更
【補正の内容】
【００１６】
（５）  ほぼ矩形状のパネルの有効部の内面に形成された蛍光体スクリーンに対向してほぼ矩形状のシャドウマスクが配置され、このシャドウマスクが多数の電子ビーム通過孔が形成され蛍光体スクリーンと対向する曲面からなる有効面、この有効面の外周を取囲む無孔部およびこの無孔部の外周に折曲げ形成されたスカート部からなるほぼ矩形状のマスク本体と、このマスク本体のスカート部に取付けられたほぼ矩形状のマスクフレームとからなるカラー受像管において、マスク本体の有効面または有効面と無孔部とを短軸方向に曲率をもつ曲面に形成し、長軸に平行な断面においてその有効面または無孔部の長辺の長軸方向中間部の少なくとも１か所が隣接長辺部よりも落込んでいる構造とした。
【手続補正７】
【補正対象書類名】明細書
【補正対象項目名】００１８
【補正方法】変更
【補正の内容】
【００１８】
（７）  ほぼ矩形状のパネルの有効部の内面に形成された蛍光体スクリーンに対向してほぼ矩形状のシャドウマスクが配置され、このシャドウマスクが多数の電子ビーム通過孔が形成され蛍光体スクリーンと対向する曲面からなる有効面、この有効面の外周を取囲む無孔部およびこの無孔部の外周に折曲げ形成されたスカート部からなるほぼ矩形状のマスク本体と、このマスク本体のスカート部に取付けられたほぼ矩形状のマスクフレームとからなるカラー受像管において、マスク本体の有効面または有効面と無孔部とを短軸方向に曲率をもつ曲面に形成し、短軸付近の有効面と無孔部の少なくとも1部が長軸と平行な方向に隣接する部分よりも落込んでいる構造とした。
【手続補正８】
【補正対象書類名】明細書
【補正対象項目名】００２７
【補正方法】変更
【補正の内容】
【００２７】
図３に示すマスク本体４６は、有効面４３および無孔部４４の短軸付近の短軸方向曲率半径が他の部分の短軸方向曲率半径よりも小さく、その短軸方向曲率半径が長軸端に近づくにしたがって大きく、長軸端ではほぼ無限大である曲面に形成され、かつ短軸付近が長軸方向に隣接する部分よりも落込んでいる。しかもこのマスク本体４６では、有効面４３および無孔部４４の長辺での落込みが長軸方向の中間部、短軸端、対角軸端の順に大きく、対角軸端の落込みを最大とし、短軸端の落込みが極大となっている。
【手続補正９】
【補正対象書類名】明細書
【補正対象項目名】００２９
【補正方法】変更
【補正の内容】
【００２９】
また、他の構成として、長軸方向中間部の少なくとも１か所で有効面および無孔部の短軸方向曲率半径を小さくし、長辺の長軸方向中間部の少なくとも１か所が隣接部よりも落込むように構成してもよい。
【手続補正１０】
【補正対象書類名】明細書
【補正対象項目名】００３１
【補正方法】変更
【補正の内容】
【００３１】
また、上記マスク本体では、有効面および無孔部の長軸端での短軸方向曲率半径がほぼ無限大のシャドウマスクについて説明したが、この発明は、図４に示すように、有効面４３および無孔部４４の長軸端が有限の短軸方向曲率半径の曲面からなるシャドウマスクに適用しても、同様の効果が得られる。
【手続補正１１】
【補正対象書類名】明細書
【補正対象項目名】００３２
【補正方法】変更
【補正の内容】
【００３２】
また、上記マスク本体では、有効面および無孔部の短軸付近の短軸方向曲率半径が他の部分の短軸方向曲率半径よりも小さく、その短軸方向曲率半径が長軸端に近づくにしたがって大きく、短軸付近が長軸方向に隣接する部分よりも落込んでいるマスク本体について説明したが、この発明は、たとえば図５に示すように、有効面４３および無孔部４４の短軸付近の短軸方向曲率半径が他の部分の短軸方向曲率半径よりも小さく、短軸端付近が長辺隣接部よりも落込んでいるが、有効面４３の中央については、長軸方向の他の部分よりも蛍光体スクリーン方向に突出しているマスク本体４６にも適用可能であり、同様の効果が得られる。
【手続補正１２】
【補正対象書類名】明細書
【補正対象項目名】００３３
【補正方法】変更
【補正の内容】
【００３３】
なお、上記各マスク本体は、有効面および無孔部の長辺に同様の落込みを設ける場合について説明したが、この発明は、無孔部と関係なく有効面が短軸方向に曲率をもつ曲面に形成され、その有効面または無孔部の長辺のいずれか一方に落込み部を形成する場合でも、同様の効果が得られる。
【手続補正１３】
【補正対象書類名】明細書
【補正対象項目名】００３４
【補正方法】変更
【補正の内容】
【００３４】
【発明の効果】
上述のように、マスク本体の有効面または無孔部の長辺に落込みを設けると、パネルの有効部外面の曲率半径を大きくし、それにともなってマスク本体の有効面の曲率半径を大きくしても、その有効面の曲面保持強度を高めることができ、シャドウマスク製造工程での局部的な変形や、カラー受像管の製造工程での熱変形、さらにはカラー受像管をＴＶセットに組込んだ場合のスピーカーからの音声による共振を抑制して、色純度の劣化をおこしにくいカラー受像管を構成することができる。特にアスペクト比が１６：９のカラー受像管に適用して、マスク本体の全面にわたりバランスよく曲面保持強度を高めることができ、色純度の劣化をおこしにくい品位良好なカラー受像管を構成することができる。
【手続補正１４】
【補正対象書類名】明細書
【補正対象項目名】符号の説明
【補正方法】変更
【補正の内容】
【符号の説明】
３２…パネル
３４…蛍光体スクリーン
３５…シャドウマスク
４２…電子ビーム通過孔
４３…有効面
４４…無孔部
４５…スカート部
４６…マスク本体
４７…マスクフレーム